(57)【要約】【課題】釣り針の軸部と餌魚とに巻き付けた線材の軸部への巻き位置が軸部の軸線方向にずれるのを抑制し得る魚釣りの仕掛け、及び、魚釣りの仕掛けに用いられる巻きずれ抑制具を提供すること。【解決手段】仕掛け20Aは釣り針１と巻きずれ抑制部材10Aとを具備する。巻きずれ抑制部材10Aは、釣り針１の軸部２にその軸線方向に沿って配置されて位置固定されている。餌魚30は巻きずれ抑制部材10Aにその長さ方向に沿って配置されている。軸部２と餌魚30とに両者を一括して線材９が巻き付けられることにより、餌魚30が軸部２に取り付けられている。巻きずれ抑制部材10Aには、軸部２と餌魚30とに巻き付けられた線材９の軸部２への巻き位置が軸部２の軸線方向にずれるのを抑制するための線材係止溝13が巻きずれ抑制部材10Aの長さ方向に複数、間隔をおいて形成されている。【選択図】図１
2018038320.tif 000002
【特許請求の範囲】
【請求項１】
軸部を有する釣り針と、巻きずれ抑制部材とを具備し、
前記釣り針の前記軸部には、前記軸部にその軸線方向に沿って配置された前記巻きずれ抑制部材が前記軸部に位置固定された状態で線材が前記軸部と前記巻きずれ抑制部材にその長さ方向に沿って配置された餌魚とに巻き付けられることにより、前記餌魚が取り付けられるものであり、
前記巻きずれ抑制部材には、前記軸部と前記餌魚とに巻き付けられた前記線材の前記軸部への巻き位置が前記軸部の軸線方向にずれるのを抑制するための線材係止溝が前記巻きずれ抑制部材の長さ方向に複数、間隔をおいて形成されている、魚釣りの仕掛け。
【請求項２】
前記巻きずれ抑制部材は、断面略Ｕ字状に屈曲した板材からなるものであって、互いに離間して対向状に配置された一対の側板部と前記両側板部の両基端縁同士を一体に連結した連結板部とを有するとともに、前記両側板部の間に前記釣り針の前記軸部が前記巻きずれ抑制部材の長さ方向に沿って嵌入された状態で前記軸部に位置固定されており、
前記係止溝は、前記巻きずれ抑制部材の前記両側板部の両遊端縁の少なくとも一方に形成されている請求項１記載の仕掛け。
【請求項３】
前記巻きずれ抑制部材の前記両側板部の一部が前記両側板部間の開口を閉塞した状態に前記軸部側に屈曲されている請求項２記載の仕掛け。
【請求項４】
前記巻きずれ抑制部材の前記両側板部の一部が前記軸部側に屈曲されて前記軸部にかしめ固定されている請求項２又は３記載の仕掛け。
【請求項５】
前記釣り針の前記軸部には前記軸部の半径外方向に突出した突き刺し針が設けられており、
前記巻きずれ抑制部材は、前記突き刺し針が前記巻きずれ抑制部材に形成された突き刺し針挿通孔に挿通されている請求項１〜４のいずれかに記載の仕掛け。
【請求項６】
前記巻きずれ抑制部材には、他の部材と接続される接続部が一体に形成されている請求項１〜５のいずれかに記載の仕掛け。
【請求項７】
前記巻きずれ抑制部材は、前記釣り針の前記軸部に取外し可能に位置固定されている請求項１〜６のいずれかに記載の仕掛け。
【請求項８】
釣り針の軸部の軸線方向に沿って配置され且つ前記軸部に位置固定されて使用される、魚釣りの仕掛け用巻きずれ抑制具であって、
巻きずれ抑制具はその長さ方向に沿って餌魚が配置されるものであり、
前記餌魚は、巻きずれ抑制具が前記釣り針の前記軸部に位置固定された状態で線材が前記軸部と前記餌魚とに巻き付けられることにより、前記軸部に取り付けられるものであり、
巻きずれ抑制具には、前記軸部と前記餌魚とに巻き付けられた前記線材の前記軸部への巻き位置が前記軸部の軸線方向にずれるのを抑制するための線材係止溝が巻きずれ抑制具の長さ方向に複数、間隔をおいて形成されている、魚釣りの仕掛け用巻きずれ抑制具。
【発明の詳細な説明】
【技術分野】
【０００１】
本発明は、テンヤ等の魚釣りの仕掛け及び仕掛け用巻きずれ抑制具に関する。
【背景技術】
【０００２】
太刀魚、タコ等の魚を釣るために用いられる仕掛けとして例えばテンヤが広く知られている（例えば、特許文献１−４参照）。
【０００３】
このテンヤ（仕掛け）１２０は、図７に示すように、長い軸部１０２を有する略Ｊ字状の釣り針１０１と錘１０６とが一体化されたものであり、錘１０６は釣り針１０１の軸部１０２の先端に取り付けられている。符号「１０３」は釣り針１０１の針先、符号「１０７」はライン接続用アイである。
【０００４】
このテンヤ１２０では、釣り針１０１の軸部１０２にその軸線方向に沿って餌魚１３０（例：イワシ、サンマ）を配置し、軸部１０２と餌魚１３０に両者を一括して針金等の線材１０９を螺旋状等に巻き付けることにより、餌魚１３０が軸部１０２に取り付けられる。
【先行技術文献】
【特許文献】
【０００５】
【特許文献１】特開２０１６−９３１０５号公報
【特許文献２】特開２０１５−１９２６０７号公報
【特許文献３】特開２０１２−１６５７３２号公報
【特許文献４】特開２００３−２３０３３０号公報
【発明の概要】
【発明が解決しようとする課題】
【０００６】
しかしながら、上述した従来のテンヤ１２０では、釣り針１０１の軸部１０２に餌魚１３０が取り付けられた状態において、釣り針１０１の軸部１０２と餌魚１３０とに巻き付けられた線材１０９の軸部１０２への巻き位置が軸部１０２の軸線方向にずれ易かった。そのため、軸部１０２に対する餌魚１３０の取付け位置がずれたり、餌魚１３０の形が崩れたりするという問題が発生していた。また、線材１０９の軸部１０２への巻き位置がずれないようにするため線材１０９を丁寧に且つ慎重に巻き付けると、餌魚１３０の取付けに時間が掛かる。ここで、テンヤ釣りは手返しを重要視する釣り手法であるため、餌魚１３０の取付けに時間が掛かることは重大な問題である。
【０００７】
本発明は、上述した技術背景に鑑みてなされたもので、その目的は、釣り針の軸部と餌魚とに巻き付けた線材の軸部への巻き位置が軸部の軸線方向にずれるのを抑制し得る魚釣りの仕掛け、及び、魚釣りの仕掛けに用いられる巻きずれ抑制具を提供することにある。
【課題を解決するための手段】
【０００８】
本発明は以下の手段を提供する。
【０００９】
［１］  軸部を有する釣り針と、巻きずれ抑制部材とを具備し、
前記釣り針の前記軸部には、前記軸部にその軸線方向に沿って配置された前記巻きずれ抑制部材が前記軸部に位置固定された状態で線材が前記軸部と前記巻きずれ抑制部材にその長さ方向に沿って配置された餌魚とに巻き付けられることにより、前記餌魚が取り付けられるものであり、
前記巻きずれ抑制部材には、前記軸部と前記餌魚とに巻き付けられた前記線材の前記軸部への巻き位置が前記軸部の軸線方向にずれるのを抑制するための線材係止溝が前記巻きずれ抑制部材の長さ方向に複数、間隔をおいて形成されている、魚釣りの仕掛け。
【００１０】
［２］  前記巻きずれ抑制部材は、断面略Ｕ字状に屈曲した板材からなるものであって、互いに離間して対向状に配置された一対の側板部と前記両側板部の両基端縁同士を一体に連結した連結板部とを有するとともに、前記両側板部の間に前記釣り針の前記軸部が前記巻きずれ抑制部材の長さ方向に沿って嵌入された状態で前記軸部に位置固定されており、
前記係止溝は、前記巻きずれ抑制部材の前記両側板部の両遊端縁の少なくとも一方に形成されている前項１記載の仕掛け。
【００１１】
［３］  前記巻きずれ抑制部材の前記両側板部の一部が前記両側板部間の開口を閉塞した状態に前記軸部側に屈曲されている前項２記載の仕掛け。
【００１２】
［４］  前記巻きずれ抑制部材の前記両側板部の一部が前記軸部側に屈曲されて前記軸部にかしめ固定されている前項２又は３記載の仕掛け。
【００１３】
［５］  前記釣り針の前記軸部には前記軸部の半径外方向に突出した突き刺し針が設けられており、
前記巻きずれ抑制部材は、前記突き刺し針が前記巻きずれ抑制部材に形成された突き刺し針挿通孔に挿通されている前項１〜４のいずれかに記載の仕掛け。
【００１４】
［６］  前記巻きずれ抑制部材には、他の部材と接続される接続部が一体に形成されている前項１〜５のいずれかに記載の仕掛け。
【００１５】
［７］  前記巻きずれ抑制部材は、前記釣り針の前記軸部に取外し可能に位置固定されている前項１〜６のいずれかに記載の仕掛け。
【００１６】
［８］  釣り針の軸部の軸線方向に沿って配置され且つ前記軸部に位置固定されて使用される、魚釣りの仕掛け用巻きずれ抑制具であって、
巻きずれ抑制具はその長さ方向に沿って餌魚が配置されるものであり、
前記餌魚は、巻きずれ抑制具が前記釣り針の前記軸部に位置固定された状態で線材が前記軸部と前記餌魚とに巻き付けられることにより、前記軸部に取り付けられるものであり、
巻きずれ抑制具には、前記軸部と前記餌魚とに巻き付けられた前記線材の前記軸部への巻き位置が前記軸部の軸線方向にずれるのを抑制するための線材係止溝が巻きずれ抑制具の長さ方向に複数、間隔をおいて形成されている、魚釣りの仕掛け用巻きずれ抑制具。
【発明の効果】
【００１７】
本発明は以下の効果を奏する。
【００１８】
前項［１］に記載の魚釣りの仕掛けでは、巻きずれ抑制部材には、釣り針の軸部と餌魚とに巻き付けられた線材の軸部への巻き位置が軸部の軸線方向にずれるのを抑制するための線材係止溝が巻きずれ抑制部材の長さ方向に複数、間隔をおいて形成されている。したがって、軸部と餌魚に両者を一括して線材を、線材が巻きずれ抑制部材の係止溝内を通過するように螺旋状等に複数回巻き付けることにより、餌魚が軸部に取り付けられるとともに、線材の軸部への巻き位置が軸部の軸線方向にずれないように線材が係止溝に係止される。これにより、線材の軸部への巻き位置が軸部の軸線方向にずれるのを抑制することができる。そのため、軸部に対する餌魚の取付け位置や餌魚の形を確実に保持することができるし、餌魚の取付け時間の短縮化を図ることができる。
【００１９】
前項［２］では、巻きずれ抑制部材は断面略Ｕ字状に屈曲した板材からなることにより、巻きずれ抑制部材を容易に且つ安価に製造することができる。さらに、巻きずれ抑制部材はその両側板部の間に釣り針の軸部が巻きずれ抑制部材の長さ方向に沿って嵌入された状態で軸部に位置固定されることにより、巻きずれ抑制部材を軸部に安定良く位置固定することができる。さらに、係止溝が巻きずれ抑制部材の両側板部の両遊端縁の少なくとも一方に形成されていることにより、係止溝の形成を容易に行うことができる。
【００２０】
前項［３］では、巻きずれ抑制部材の両側板部の一部が両側板部間の開口を閉塞した状態に軸部側に屈曲されていることにより、軸部の両側板部間からの抜出が両側板部の一部で阻止される。これにより、巻きずれ抑制部材を軸部に確実に位置固定することができる。
【００２１】
前項［４］では、巻きずれ抑制部材の両側板部の一部が軸部にかしめ固定されることにより、巻きずれ抑制部材を軸部に強固に位置固定することができる。
【００２２】
前項［５］では、巻きずれ抑制部材は、突き刺し針が巻きずれ抑制部材に形成された突き刺し針挿通孔に挿通されていることにより、軸部に対する巻きずれ抑制部材の軸線方向の移動及び軸部に対する巻きずれ抑制部材の回転を突き刺し針で阻止することができる。これにより、巻きずれ抑制部材の軸部への位置固定状態を強固に維持することができる。
【００２３】
前項［６］では、巻きずれ抑制部材に他の部材と接続される接続部が形成されることにより、接続部に他の部材として例えば二本目の釣り針を接続することができる。
【００２４】
前項［７］では、巻きずれ抑制部材が釣り針の軸部に取外し可能に位置固定されていることにより、必要に応じてこれを軸部から取り外すことができる。
【００２５】
前項［８］に記載の巻きずれ抑制具は、これを釣り針の軸部に位置固定状態に取り付けることにより、前項［１］〜［７］のうち少なくとも前項［１］に記載の効果と同様の効果を奏しうる。
【図面の簡単な説明】
【００２６】
【図１】図１は、本発明の第１実施形態に係る魚釣りの仕掛けに餌魚を取り付けた状態の側面図である。
【図２】図２は、同仕掛けの分解斜視図である。
【図３】図３は、同仕掛けの釣り針の軸部に巻きずれ抑制部材（巻きずれ抑制具）が位置固定された状態の斜視図である。
【図４】図４は、本発明の第２実施形態に係る魚釣りの仕掛けを示す側面図である。
【図５】図５は、本発明の第３実施形態に係る魚釣りの仕掛けを示す側面図である。
【図６】図６は、本発明の第４実施形態に係る魚釣りの仕掛けを示す側面図である。
【図７Ａ】図７Ａは、本発明の第５実施形態に係る魚釣りの仕掛けを示す側面図である。
【図７Ｂ】図７Ｂは、同仕掛けの釣り針の軸部に位置固定される巻きずれ抑制部材の底面図である。
【図８】図８は、従来の太刀魚テンヤに餌魚を取り付けた状態の側面図である。
【発明を実施するための形態】
【００２７】
次に、本発明の幾つかの実施形態について図面を参照して以下に説明する。
【００２８】
図１〜３に示した本発明の第１実施形態に係る魚釣りの仕掛け２０Ａは、太刀魚、タコ等の魚を釣るために用いられるテンヤ（太刀魚テンヤ、タコテンヤ等）として使用されるものである。
【００２９】
本第１実施形態の仕掛け２０Ａは、図２に示すように、錘６、長い軸部２を有する略Ｊ字状の釣り針１、巻きずれ抑制具としての巻きずれ抑制部材１０Ａなどを具備している。
【００３０】
錘６は魚の頭部を模擬した形状であり、釣り針１の軸部２の先端に固着されて釣り針１と一体化されている。錘６には釣り糸取付け部としてのライン接続用アイ７が設けられている。
【００３１】
図１中の符号「３０」は餌魚である。餌魚３０は、釣りたい魚（タコ、イカ等を含む）の種類に応じて選択されるものであり、例えばイワシ、サンマである。
【００３２】
符号「９」は針金等の線材である。線材９は餌魚３０を釣り針１の軸部２に取り付けるためのものである。
【００３３】
図２に示すように、釣り針１の軸部２には、軸部２の半径外方向における釣り針１の針先３側とは反対側に略真直に突出した突き刺し針４が軸部２の軸線方向に複数、間隔をおいて且つ一列に並んで溶接等により固着されている。これらの突き刺し針４に餌魚３０が突き刺されることにより、餌魚３０は釣り針１の軸部２の軸線方向及び周方向に移動しないように刺し止められる。
【００３４】
巻きずれ抑制部材１０Ａは、図２に示すように、釣り針１とは別体に形成されたものである。そして、巻きずれ抑制部材１０Ａは、図３に示すように、釣り針１の軸部２にその軸線方向に沿って配置され且つ軸部２に対してその軸線方向に移動しないように及び軸部２に対して回転しないように位置固定状態に取り付けられている。
【００３５】
詳述すると、巻きずれ抑制部材１０Ａは、図２に示すように、断面略Ｕ字状（断面略コ字状を含む）に屈曲した金属板材からなるものであり、互いに離間して対向状に配置された一対の側板部１１、１１と、両側板部１１、１１の両基端縁同士を一体に連結した連結板部１２とを有している。
【００３６】
さらに、巻きずれ抑制部材１０Ａの両側板部１１、１１の一部としてその長さ方向の両端部と略中間部には、それぞれ、連結板部１２側とは反対側に局部的に突出した突片部１５が一体に形成されている。
【００３７】
また、巻きずれ抑制部材１０Ａ（詳述すると巻きずれ抑制部材１０Ａの連結板部１２）には、各突き刺し針４に対応する突き刺し針挿通孔１４が巻きずれ抑制部材１０Ａの長さ方向に複数、間隔をおいて設けられている。
【００３８】
そして、図３に示す状態では、各突き刺し針４が対応する挿通孔１４に巻きずれ抑制部材１０Ａ（詳述すると巻きずれ抑制部材１０Ａの連結板部１２）を貫通するように挿通されるとともに、両側板部１１、１１の間に釣り針１の軸部２が巻きずれ抑制部材１０Ａの長さ方向に沿って嵌入されており、この状態で、各突片部１５が両側板部１１、１１間の開口を閉塞した状態に軸部２側に塑性的に屈曲されることにより、両側板部１１、１１間に嵌入された軸部２の両側板部１１、１１間からの抜出が各突片部１５で阻止されている。
【００３９】
このような巻きずれ抑制部材１０Ａの軸部２への取付け状態では、突き刺し針４が挿通孔１４に巻きずれ抑制部材１０Ａ（詳述すると巻きずれ抑制部材１０Ａの連結板部１２）を貫通するように挿通されているので、軸部２に対する巻きずれ抑制部材１０Ａの軸線方向の移動及び軸部２に対する巻きずれ抑制部材１０Ａの回転が突き刺し針４で阻止されている。さらに、巻きずれ抑制部材１０Ａの各突片部１５が両側板部１１、１１間の開口を閉塞した状態に軸部２側に屈曲しているので、上述したように軸部２の両側板部１１、１１間からの抜出が各突片部１５で阻止されている。その結果、巻きずれ抑制部材１０Ａは、軸部２に対して軸線方向に移動しないし回転もしないし軸部２から外れることもないように軸部２に位置固定されている。
【００４０】
さらに、本第１実施形態では、巻きずれ抑制部材１０Ａの各突片部１５は、釣り針１の軸部２側に塑性的に屈曲されることにより軸部２にかしめ固定されている。これにより、巻きずれ抑制部材１０Ａは釣り針１の軸部２に強固に位置固定されている。
【００４１】
また、巻きずれ抑制部材１０Ａの両側板部１１、１１の両遊端縁には、断面略Ｖ字状の線材係止溝１３が巻きずれ抑制部材１０Ａの長さ方向（即ち釣り針１の軸部２の軸線方向）に複数、間隔をおいて形成されている。各係止溝１３は、図１に示すように、釣り針１の軸部２と餌魚３０とに巻き付けられた線材９の軸部２への巻き位置が軸部２の軸線方向にずれるのを抑制するためのものである。
【００４２】
また、巻きずれ抑制部材１０Ａの両側板部１１、１１の両遊端縁の長さ方向の略中間部には、他の部材と接続される接続部１６が連結板部１２側とは反対側に局部的に突出して一体に形成されている。本第１実施形態では、接続部１６は例えば二本目の釣り針（図１中に二点鎖線で示す）２５と接続される釣り針用接続管部であり、その数は一つである。
【００４３】
このように、接続部（釣り針用接続管部）１６が巻きずれ抑制部材１０Ａに形成されることにより、接続部１６が他の部材（例：二本目の釣り針の軸部の先端）に一体形成される場合に比べて、コストダウンを図ることができる。なお、図１に二点鎖線で示した二本目の釣り針２５はトレブルフックからなり、接続部１６にスプリットリング（二点鎖線で示す）２５を介して接続されている。
【００４４】
本第１実施形態の仕掛け２０Ａでは、図１に示すように、餌魚３０は、釣り針１の突き刺し針４に突き刺された状態で、釣り針１の軸部２に位置固定された巻きずれ抑制部材１０Ａにその長さ方向に沿って（即ち釣り針１の軸部２にその軸線方向に沿って）配置される。
【００４５】
そして、軸部２と餌魚３０に両者を一括して線材９を、線材９が軸部２を横断する際に線材９が巻きずれ抑制部材１０Ａの係止溝１３内を通過するように軸部２の軸線方向に螺旋状等に複数回巻き付ける。これにより、餌魚３０が軸部２に取り付けられるとともに、線材９の軸部２への巻き位置が軸部２の軸線方向にずれないように線材９が通過した各係止溝１３に線材９が係止される。これにより、線材９の軸部２への巻き位置が軸部２の軸線方向にずれるのを抑制することができる。そのため、軸部２に対する餌魚３０の取付け位置や餌魚３０の形を確実に保持することができるし、餌魚３０の取付け時間の短縮化を図ることができる。
【００４６】
また、巻きずれ抑制部材１０Ａは断面略Ｕ字状に屈曲した板材からなるので、巻きずれ抑制部材１０Ａを容易に且つ安価に製造することができる。
【００４７】
さらに、巻きずれ抑制部材１０Ａは、その両側板部１１、１１の間に釣り針１の軸部２が巻きずれ抑制部材１０Ａの長さ方向に沿って嵌入された状態で軸部２に位置固定されているので、巻きずれ抑制部材１０Ａを軸部２に安定良く位置固定することができる。
【００４８】
さらに、係止溝１３が巻きずれ抑制部材１０Ａの両側板部１１、１１の両遊端縁に形成されているので、係止溝１３の形成を容易に行うことができる。なお本発明では、係止溝１３はその他に両側板部１１、１１の両遊端縁の一方だけに形成されても良い。
【００４９】
巻きずれ抑制部材１０Ａを釣り針１の軸部２から取り外す場合は、巻きずれ抑制部材１０Ａの各突片部１５を元の位置へ変形させて両側板部１１、１１間の開口の閉塞状態を解除することにより、両側板部１１、１１間から軸部２を抜出することができ即ち巻きずれ抑制部材１０Ａを軸部２から取り外すことができる。このように巻きずれ抑制部材１０Ａは釣り針１の軸部２に取外し可能に位置固定されている。したがって、巻きずれ抑制部材１０Ａを必要に応じて（例：巻きずれ抑制部材１０Ａが不要なとき、別の巻きずれ抑制部材１０Ａと交換するとき、巻きずれ抑制部材１０Ａを別の釣り針の軸部に取り付けるとき）釣り針１の軸部２から取り外すことができる。
【００５０】
また、本第１実施形態の巻きずれ抑制部材１０Ａは、予め釣り針１の軸部２に位置固定状態に取り付けられていても良いし、あるいは、巻きずれ抑制部材１０Ａが巻きずれ抑制具等として釣り針とは別に販売されていて釣り師等がこれを購入して好みの釣り針の軸部に位置固定状態に取り付けて使用しても良い。
【００５１】
図４〜７Ｂには本発明のその他の幾つかの実施形態に係る仕掛けが図示されている。
【００５２】
図４に示した本発明の第２実施形態に係る仕掛け２０Ｂでは、巻きずれ抑制部材１０Ｂに二つの接続部（例：釣り針用接続管部）１６、１６が形成されている。
【００５３】
図５に示した本発明の第３実施形態に係る仕掛け２０Ｃでは、巻きずれ抑制部材１０Ｃに接続部は形成されていない。また、図６に示した本発明の第４実施形態に係る仕掛け２０Ｄでも巻きずれ抑制部材１０Ｄに接続部は形成されていない。
【００５４】
このように本発明は、接続部１６が巻きずれ抑制部材に一つ又は複数形成されていても良いし、接続部１６が巻きずれ抑制部材に形成されていないものを排除するものでもない。
【００５５】
また本発明では、巻きずれ抑制部材に形成される線材係止溝１３の形状及び数は、上記第１実施形態の巻きずれ抑制部材１０Ａに形成された線材係止溝１３の形状及び数に限定されるものではなく、その他に例えば、第２や第３実施形態の巻きずれ抑制部材１０Ｂ、１０Ｃに形成された線材係止溝１３の形状（断面略Ｖ字状）及び数であっても良いし、第４実施形態の巻きずれ抑制部材１０Ｄに形成された線材係止溝１３の形状（断面略Ｖ字状）及び数であっても良いし、更にその他の形状及び数であっても良い。
【００５６】
図１〜６に示した上記第１〜第４実施形態に係る仕掛け２０Ａ〜２０Ｄは、巻きずれ抑制部材１０Ａ〜１０Ｄがいずれも断面略Ｕ字状に形成されたものであるが、本発明は巻きずれ抑制部材が断面略Ｕ字状に形成されたものであることに限定されるものではない。
【００５７】
例えば、図７Ａ及び７Ｂに示した本発明の第５実施形態に係る仕掛け２０Ｅでは、巻きずれ抑制部材１０Ｅは、巻きずれ抑制部材１０Ｅの本体部としての一方向に延びた軸板部１７に、断面略コ字状の線材係止溝１３が軸板部１７の長さ方向に複数、間隔をおいて形成されたものである。そして、軸板部１７が釣り針１の軸部２にその軸線方向に沿って配置されて軸部２に接着剤や溶接によって接合されることにより、巻きずれ抑制部材１０Ｅが軸部２に位置固定されている。
【００５８】
以上で本発明の幾つかの実施形態について説明したが、本発明はこれらの実施形態に限定されるものではなく、本発明の要旨を逸脱しない範囲で様々に変更可能である。例えば、本発明に係る魚釣りの仕掛け及び巻きずれ抑制部材（巻きずれ抑制具）は、上記第１〜第５実施形態でそれぞれ示された技術的事項が複数組み合わされて構成されていても良い。
【産業上の利用可能性】
【００５９】
本発明は、テンヤ等の魚釣りの仕掛け及び仕掛け用巻きずれ抑制具に利用可能である。
【符号の説明】
【００６０】
１：釣り針
２：軸部
４：突き刺し針
６：錘
９：線材
１０Ａ〜１０Ｅ：巻きずれ抑制部材（巻きずれ抑制具）
１１：側板部
１２：連結板部
１３：線材係止溝
１４：突き刺し針挿通孔
１５：突片部（巻きずれ抑制部材の一部）
１６：接続部
２０Ａ〜２０Ｅ：仕掛け
３０：餌魚
【図１】
2018038320.tif 000003
【図２】
2018038320.tif 000004
【図３】
2018038320.tif 000005
【図４】
2018038320.tif 000006
【図５】
2018038320.tif 000007
【図６】
2018038320.tif 000008
【図７Ａ】
2018038320.tif 000009
【図７Ｂ】
2018038320.tif 000010
【図８】
2018038320.tif 000011